(57)【要約】【課題】周囲環境等の状態に合わせて、表示情報を見易く表示することが可能な表示システムを提供する。【解決手段】サーバ装置ＳＶ１と、サーバ装置ＳＶ１と接続され且つサーバ装置ＳＶ１から送信されてきた表示データを表示するディスプレイを備える端末装置Ｔと、を含む表示システムＳ１において、各端末装置Ｔは、当該端末装置Ｔの周囲環境の状態又はそれにおける表示状態のいずれかを示す状態データを取得し、その状態データにより示される周囲環境の状態等に対応させてディスプレイの表示状態等を制御する。【選択図】図１
2017181592.tif 000002
【特許請求の範囲】
【請求項１】
サーバ装置と、当該サーバ装置と接続され且つ当該サーバ装置から送信されてきた表示情報を表示する表示手段を備える端末装置と、を含む表示システムにおいて、
前記端末装置は、
当該端末装置の周囲環境の状態又は前記表示手段における表示状態のいずれかを示す状態情報を取得する状態情報取得手段と、
前記取得した状態情報により示される前記いずれかに対応させて前記表示手段を制御する制御手段と、
を備えることを特徴とする表示システム。
【請求項２】
請求項１に記載の表示システムにおいて、
前記表示手段は電子ペーパを表示媒体とする表示手段であり、
前記状態情報取得手段は、前記表示状態を示す前記状態情報である表示状態情報を取得し、
前記端末装置は、前記取得した表示状態情報を前記サーバ装置に送信する状態情報送信手段を更に備え、
前記サーバ装置からのリフレッシュ信号を受信した場合に前記制御手段は、前記電子ペーパをリフレッシュし、
前記サーバ装置は、
前記端末装置から前記表示状態情報を受信した場合に、当該表示状態情報により示される前記表示状態がリフレッシュを必要とする表示状態であるか否かを判定する判定手段と、
前記表示状態がリフレッシュを必要とする表示状態であると判定されたとき、前記表示状態情報を送信してきた前記端末装置に対して前記リフレッシュ信号を送信するサーバ装置送信手段と、
を備えることを特徴とする表示システム。
【請求項３】
請求項２に記載の表示システムにおいて、
前記表示状態情報は、表示中の前記表示手段の表示面を撮影して得られた撮影情報であることを特徴とする表示システム。
【請求項４】
請求項１に記載の表示システムにおいて、
前記状態情報取得手段は、前記表示手段の周囲の照度を示す前記状態情報である照度情報を取得し、
前記端末装置は、前記取得した照度情報を前記サーバ装置に送信する照度情報送信手段を更に備え、
前記サーバ装置からの表示色情報を受信した場合に前記制御手段は、当該受信した表示色情報に基づいて前記表示手段における表示色を制御し、
前記サーバ装置は、前記端末装置から前記照度情報を受信した場合に、当該照度情報により示される前記照度に対応した前記表示色情報を、前記照度情報を送信してきた前記端末装置に対して送信するサーバ装置送信手段を備えることを特徴とする表示システム。
【請求項５】
請求項１に記載の表示システムにおいて、
前記状態情報取得手段は、前記表示手段の周囲の音の状態を示す前記状態情報である音状態情報を取得し、
前記端末装置は、前記取得した音情報を前記サーバ装置に送信する音状態情報送信手段を更に備え、
前記サーバ装置からの表示制御情報を受信した場合に前記制御手段は、当該受信した表示制御情報に基づいて前記表示手段における表示内容を制御し、
前記サーバ装置は、前記端末装置から前記音状態情報を受信した場合に、当該音状態情報により示される前記音の状態に対応した前記表示制御情報を、前記音状態情報を送信してきた前記端末装置に対して送信するサーバ装置送信手段を備えることを特徴とする表示システム。
【請求項６】
請求項５に記載の表示システムにおいて、
前記音の状態は、前記表示手段の周囲の前記音の大きさであり、
前記端末装置から前記音状態情報を受信した場合に前記サーバ装置送信手段は、当該音状態情報により示される前記音の大きさが予め設定された大きさ以上であるとき、静粛にすべき旨の内容を有する静粛メッセージを前記表示手段に表示させるための前記表示制御情報を送信し、
前記サーバ装置からの表示制御情報を受信した場合に前記制御手段は、当該受信した表示制御情報に基づいて前記表示手段に前記静粛メッセージを表示させることを特徴とする表示システム。
【請求項７】
請求項１に記載の表示システムにおいて、
前記状態情報取得手段は、前記表示手段の周囲の温度を示す前記状態情報である温度情報を取得し、
前記端末装置は、前記取得した温度情報を前記サーバ装置に送信する温度情報送信手段を更に備え、
前記サーバ装置からの表示制御情報を受信した場合に前記制御手段は、当該受信した表示制御情報に基づいて前記表示手段における表示内容を制御し、
前記サーバ装置は、前記端末装置から前記温度情報を受信した場合に、当該温度情報により示される前記温度に対応した前記表示制御情報を、前記温度情報を送信してきた前記端末装置に対して送信するサーバ装置送信手段を備えることを特徴とする表示システム。
【請求項８】
サーバ装置と、当該サーバ装置と接続され且つ当該サーバ装置から送信されてきた表示情報を表示する表示手段を備える端末装置と、を含む表示システムにおいて実行される表示制御方法において、
前記端末装置において、当該端末装置の周囲環境の状態又は前記表示手段における表示状態のいずれかを示す状態情報を取得する状態情報取得工程と、
前記端末装置において、前記取得した状態情報により示される前記いずれかに対応させて前記表示手段を制御する制御工程と、
を含むことを特徴とする表示制御方法。
【請求項９】
請求項１から請求項７のいずれか一項に記載の前記端末装置と接続されたコンピュータを、請求項１から請求項７のいずれか一項に記載のサーバ装置として機能させることを特徴とするサーバ装置用プログラム。
【請求項１０】
請求項１から請求項７のいずれか一項に記載の前記サーバ装置と、前記表示手段と、にそれぞれ接続されたコンピュータを、請求項１から請求項７のいずれか一項に記載の端末装置として機能させることを特徴とする端末装置用プログラム。
【発明の詳細な説明】
【技術分野】
【０００１】
本発明は、表示システム、表示制御方法並びにサーバ装置用プログラム及び端末装置用プログラムの技術分野に属する。より詳細には、表示システムを構成するサーバ装置に接続された端末装置における表示を制御する表示システム及び表示制御方法、並びに当該表示システムに含まれるサーバ装置及び端末装置それぞれ用のプログラムの技術分野に属する。
【背景技術】
【０００２】
近年、表示及び通信にデジタル技術を活用し、平面ディスプレイやプロジェクタによって映像や情報を表示する広告媒体として、いわゆるデジタルサイネージが拡がりつつある。このデジタルサイネージを用いれば、情報記憶部に多数の表示情報を記憶しておくことで、必要に応じて例えば秒単位で表示内容を切り換えたり、或いは動画表示を行う等、映像（画像）による多種多様な広告を提供したりすることが可能となる。このようなデジタルサイネージに関する従来技術を開示する先行技術文献としては、例えば下記特許文献１が挙げられる。
【０００３】
この特許文献１に開示されている技術では、例えば携帯型の端末装置から、その端末装置のユーザが使用する言語を示す使用言語種別情報をデジタルサイネージに送信する。そしてデジタルサイネージでは、その使用言語種別に応じた言語で表現された広告情報を記録部から選択／抽出し、これを表示部及びスピーカを通して出力する構成とされている。
【先行技術文献】
【特許文献】
【０００４】
【特許文献１】特開２０１３−１２５０４７号公報
【発明の概要】
【発明が解決しようとする課題】
【０００５】
しかしながら、上記特許文献１に開示されている技術では、ユーザの都合によりデジタルサイネージにおける表示等を制御することしか考慮されておらず、デジタルサイネージのディスプレイの周囲環境やそれ自体の表示状況に応じて表示を最適化することは全く考慮されていない。よって、例えばディスプレイの周囲環境等に対してその表示が最適化されていない場合には、例えば肝心の広告の視認性が低下するといった問題点があった。
【０００６】
そこで本発明は、上記の各問題点に鑑みて為されたもので、その課題の一例は、周囲環境等の状態に合わせて、表示情報を見易く表示することが可能な表示システム及び表示制御方法、並びに当該表示システムに含まれるサーバ装置及び端末装置それぞれ用のプログラムを提供することにある。
【課題を解決するための手段】
【０００７】
上記の課題を解決するために、請求項１に記載の発明は、サーバ装置と、当該サーバ装置と接続され且つ当該サーバ装置から送信されてきた表示情報を表示するディスプレイ等の表示手段を備える端末装置と、を含む表示システムにおいて、前記端末装置は、当該端末装置の周囲環境の状態又は前記表示手段における表示状態のいずれかを示す状態情報を取得するインターフェース等の状態情報取得手段と、前記取得した状態情報により示される前記いずれかに対応させて前記表示手段を制御する処理部等の制御手段と、を備える。
【０００８】
上記の課題を解決するために、請求項８に記載の発明は、サーバ装置と、当該サーバ装置と接続され且つ当該サーバ装置から送信されてきた表示情報を表示するディスプレイ等の表示手段を備える端末装置と、を含む表示システムにおいて実行される表示制御方法において、前記端末装置において、当該端末装置の周囲環境の状態又は前記表示手段における表示状態のいずれかを示す状態情報を取得する状態情報取得工程と、前記端末装置において、前記取得した状態情報により示される前記いずれかに対応させて前記表示手段を制御する制御工程と、を含む。
【０００９】
上記の課題を解決するために、請求項９に記載の発明は、請求項１から請求項７のいずれか一項に記載の前記端末装置と接続されたコンピュータを、請求項１から請求項７のいずれか一項に記載のサーバ装置として機能させる。
【００１０】
上記の課題を解決するために、請求項１０に記載の発明は、請求項１から請求項７のいずれか一項に記載の前記サーバ装置と、前記表示手段と、にそれぞれ接続されたコンピュータを、請求項１から請求項７のいずれか一項に記載の端末装置として機能させる。
【００１１】
請求項１又は請求項８乃至請求項１０のいずれか一項に記載の発明によれば、端末装置と接続されたサーバ装置から送信されてきた表示情報を端末装置において表示する場合に、端末装置の周囲環境の状態又は表示状態のいずれかを示す状態情報を端末装置において取得し、その状態情報に対応させて表示手段を制御する。よって、周囲環境等の状態に合わせて、端末装置において表示情報を見易く表示することができる。
【００１２】
上記の課題を解決するために、請求項２に記載の発明は、請求項１に記載の表示システムにおいて、前記表示手段は電子ペーパを表示媒体とする表示手段であり、前記状態情報取得手段は、前記表示状態を示す前記状態情報である表示状態情報を取得し、前記端末装置は、前記取得した表示状態情報を前記サーバ装置に送信するインターフェース等の状態情報送信手段を更に備え、前記サーバ装置からのリフレッシュ信号を受信した場合に前記制御手段は、前記電子ペーパの表示をリフレッシュし、前記サーバ装置は、前記端末装置から前記表示状態情報を受信した場合に、当該表示状態情報により示される前記表示状態がリフレッシュを必要とする表示状態であるか否かを判定する処理部等の判定手段と、前記表示状態がリフレッシュを必要とする表示状態であると判定されたとき、前記表示状態情報を送信してきた前記端末装置に対して前記リフレッシュ信号を送信するインターフェース等のサーバ装置送信手段と、を備える。
【００１３】
請求項２に記載の発明によれば、請求項１に記載の発明の作用に加えて、表示媒体たる電子ペーパの表示状態を示す表示状態情報を端末装置において取得し、その表示状態情報をサーバ装置に送信し、リフレッシュ信号をサーバ装置から受信した場合に電子ペーパの表示をリフレッシュする。一方サーバ装置では、端末装置から表示状態情報を受信した場合に電子ペーパがリフレッシュを必要とする表示状態であるか否かを判定し、当該リフレッシュを必要とすると判定されたとき、表示状態情報を送信してきた端末装置に対してリフレッシュ信号を送信する。よって、電子ペーパの表示状態を常に良好に維持することができる。
【００１４】
上記の課題を解決するために、請求項３に記載の発明は、請求項２に記載の表示システムにおいて、前記表示状態情報は、表示中の前記表示手段の表示面を撮影して得られた撮影情報であるように構成される。
【００１５】
請求項３に記載の発明によれば、請求項２に記載の発明の作用に加えて、表示状態情報が表示手段の表示面を撮影して得られた撮影情報であるので、実際の表示状態に基づいてリフレッシュの必要性を判定することができる。
【００１６】
上記の課題を解決するために、請求項４に記載の発明は、請求項１に記載の表示システムにおいて、前記状態情報取得手段は、前記表示手段の周囲の照度を示す前記状態情報である照度情報を取得し、前記端末装置は、前記取得した照度情報を前記サーバ装置に送信するインターフェース等の照度情報送信手段を更に備え、前記サーバ装置からの表示色情報を受信した場合に前記制御手段は、当該受信した表示色情報に基づいて前記表示手段における表示色を制御し、前記サーバ装置は、前記端末装置から前記照度情報を受信した場合に、当該照度情報により示される前記照度に対応した前記表示色情報を、前記照度情報を送信してきた前記端末装置に対して送信するインターフェース等のサーバ装置送信手段を備える。
【００１７】
請求項４に記載の発明によれば、請求項１に記載の発明の作用に加えて、表示手段の周囲の照度を示す照度情報を端末装置において取得し、その照度情報をサーバ装置に送信し、表示色情報をサーバ装置から受信した場合にそれに基づいて表示色を制御する。一方サーバ装置では、端末装置から照度情報を受信した場合に、当該照度情報により示される照度に対応した表示色情報を、照度情報を送信してきた端末装置に対して送信する。よって、電子ペーパの表示色を、その周辺の照度に合わせて良好に維持することができる。
【００１８】
上記の課題を解決するために、請求項５に記載の発明は、請求項１に記載の表示システムにおいて、前記状態情報取得手段は、前記表示手段の周囲の音の状態を示す前記状態情報である音状態情報を取得し、前記端末装置は、前記取得した音情報を前記サーバ装置に送信するインターフェース等の音状態情報送信手段を更に備え、前記サーバ装置からの表示制御情報を受信した場合に前記制御手段は、当該受信した表示制御情報に基づいて前記表示手段における表示内容を制御し、前記サーバ装置は、前記端末装置から前記音状態情報を受信した場合に、当該音状態情報により示される前記音の状態に対応した前記表示制御情報を、前記音状態情報を送信してきた前記端末装置に対して送信するインターフェース等のサーバ装置送信手段を備える。
【００１９】
請求項５に記載の発明によれば、請求項１に記載の発明の作用に加えて、端末装置において表示手段の周囲の音の状態を示す音状態情報を取得し、それをサーバ装置に送信し、表示制御情報をサーバ装置から受信した場合にそれに基づいて表示内容を制御する。一方サーバ装置では、端末装置から音状態情報を受信した場合に、当該音状態情報により示される音の状態に対応した表示制御情報を、音状態情報を送信してきた端末装置に対して送信する。よって、端末装置の表示内容を、その周辺の音の状態に対応させて制御することができる。
【００２０】
上記の課題を解決するために、請求項６に記載の発明は、請求項５に記載の表示システムにおいて、前記音の状態は、前記表示手段の周囲の前記音の大きさであり、前記端末装置から前記音状態情報を受信した場合に前記サーバ装置送信手段は、当該音状態情報により示される前記音の大きさが予め設定された大きさ以上であるとき、静粛にすべき旨の内容を有する静粛メッセージを前記表示手段に表示させるための前記表示制御情報を送信し、前記サーバ装置からの表示制御情報を受信した場合に前記制御手段は、当該受信した表示制御情報に基づいて前記表示手段に前記静粛メッセージを表示させるように構成される。
【００２１】
請求項６に記載の発明によれば、請求項５に記載の発明の作用に加えて、表示手段の周囲の音の大きさを示す音状態情報を端末装置において取得し、その音状態情報をサーバ装置に送信し、表示制御情報をサーバ装置から受信した場合にそれに基づいて静粛メッセージを表示する。よって、端末装置の周囲の音が既定値以上に大きいときに、静粛にさせるべき旨の静粛メッセージを表示させることができる。
【００２２】
上記の課題を解決するために、請求項７に記載の発明は、請求項１に記載の表示システムにおいて、前記状態情報取得手段は、前記表示手段の周囲の温度を示す前記状態情報である温度情報を取得し、前記端末装置は、前記取得した温度情報を前記サーバ装置に送信するインターフェース等の温度情報送信手段を更に備え、前記サーバ装置からの表示制御情報を受信した場合に前記制御手段は、当該受信した表示制御情報に基づいて前記表示手段における表示内容を制御し、前記サーバ装置は、前記端末装置から前記温度情報を受信した場合に、当該温度情報により示される前記温度に対応した前記表示制御情報を、前記温度情報を送信してきた前記端末装置に対して送信するインターフェース等のサーバ装置送信手段を備える。
【００２３】
請求項７に記載の発明によれば、請求項１に記載の発明の作用に加えて、表示手段の周囲の温度を示す温度情報を端末装置において取得し、その温度情報をサーバ装置に送信し、表示制御情報をサーバ装置から受信した場合にそれに基づいて表示内容を制御する。一方サーバ装置では、端末装置から温度情報を受信した場合に、当該温度情報により示される温度に対応した表示制御情報を、温度情報を送信してきた端末装置に対して送信する。よって、端末装置の表示内容を、その周辺の温度に対応させて制御することができる。
【発明の効果】
【００２４】
本発明によれば、端末装置と接続されたサーバ装置から送信されてきた表示情報を端末装置において表示する場合に、端末装置の周囲環境の状態又は表示状態のいずれかを示す状態情報を端末装置において取得し、その状態情報に対応させて表示手段を制御する。
【００２５】
従って、周囲環境等の状態に合わせて、端末装置において表示情報を見易く表示することができる。
【図面の簡単な説明】
【００２６】
【図１】第１実施形態に係る表示システムの概要構成を示すブロック図である。
【図２】第１実施形態に係るサーバ装置等の細部構成を示すブロック図であり、（ａ）は当該サーバ装置の細部構成を示すブロック図であり、（ｂ）は第１実施形態に係る端末装置の細部構成を例示するブロック図である。
【図３】第１実施形態に係る表示処理を示すフローチャートである。
【図４】第１実施形態に係る表示処理を説明する図であり、（ａ）は端末装置における表示処理の問題を例示する図であり、（ｂ）は第１実施形態に係る電子ペーパのリフレッシュを例示する図である。
【図５】第２実施形態に係る表示システムの概要構成を示すブロック図である。
【図６】第２実施形態に係るサーバ装置に記録されているデータベースの内容を例示する図である。
【図７】第２実施形態に係る表示処理を示すフローチャートである。
【図８】第２実施形態に係る表示処理による表示色の制御を例示する図であり、（ａ）は制御前の表示色を例示する図であり、（ｂ）は制御後の表示色を例示する図である。
【発明を実施するための形態】
【００２７】
次に、本発明を実施するための形態について、図面に基づいて説明する。なお、以下に説明する各実施形態及び各変形形態は、電子ペーパを表示媒体として種々の情報を表示する例えばデジタルサイネージとしての端末装置を含む表示システムに対して、本発明を適用した場合の各実施形態及び各変形形態である。
【００２８】
（Ｉ）第１実施形態
初めに、本発明に係る第１実施形態について、図１乃至図４を用いて説明する。なお、図１は第１実施形態に係る表示システムの概要構成を示すブロック図であり、図２は第１実施形態に係るサーバ装置等の細部構成を示すブロック図であり、図３は第１実施形態に係る表示処理を示すフローチャートであり、図４は当該表示処理を説明する図である。
【００２９】
図１に示すように第１実施形態に係る表示システムＳ１は、サーバ装置ＳＶ１と、端末装置Ｔ１、端末装置Ｔ２、…、端末装置Ｔｎ（ｎは自然数）と、端末装置Ｔ１、端末装置Ｔ２、…、端末装置Ｔｎにそれぞれ対応したカメラＣ１、カメラＣ２、…、カメラＣｎと、無線ＬＡＮ（Local Area Network）又は有線ＬＡＮ等であるネットワークＮＷと、により構成されている。なお以下の説明において、端末装置Ｔ１、端末装置Ｔ２、…、端末装置Ｔｎに共通の事項を説明する場合、これらを纏めて「端末装置Ｔ」と称する。また同様に、カメラＣ１、カメラＣ２、…、カメラＣｎに共通の事項を説明する場合、これらを纏めて「カメラＣ」と称する。
【００３０】
上記の構成において各端末装置Ｔは、例えば壁掛形として固定設置されている。そしてサーバ装置ＳＶ１は、各端末装置Ｔにおいて表示されるべき表示データを記録している。そしてサーバ装置ＳＶ１は、当該表示データを、それが表示されるべき端末装置Ｔに対して、ネットワークＮＷを介して予め設定されたタイミングで送信する。これにより各端末装置Ｔは、サーバ装置ＳＶ１から送信されてきた表示データをそれぞれ受信し、当該表示データに相当する画像を、各端末装置Ｔが備える後述のディスプレイ上にそれぞれ表示する。
【００３１】
一方各端末装置Ｔは、それぞれに送信された表示データに相当する上記画像を表示中において、その画像を端末装置Ｔの外部から撮影すべき旨の撮影指示Ｓcを、その端末装置Ｔに対応するカメラＣに送信する。ここで、端末装置Ｔが対応するカメラＣとは、上記画像が表示されている表示画面を撮影範囲に含むカメラＣをいう。これにより各カメラＣは、それぞれが対応している端末装置Ｔから上記撮影指示Ｓcが送信されてくると、それに基づいて、それぞれが対応している端末装置Ｔに表示されている上記画像を撮影し、その撮影結果に相当する撮影データＳcdを生成し、対応する端末装置Ｔに送信する。そして各端末装置Ｔは、対応するカメラＣから上記撮影データＳcdが送信されてくると、ネットワークＮＷを介して当該撮影データＳcdをサーバ装置ＳＶ１にそれぞれ送信する。
【００３２】
次にサーバ装置ＳＶ１は、いずれかの端末装置Ｔから撮影データＳcdが送信されてくると、当該撮影データＳcdに相当する撮影結果と、撮影された上記画像に相当する表示データ（即ち、その端末装置Ｔに送信された表示データ）と、を比較する。そしてサーバ装置ＳＶ１は、当該比較結果に基づき、その端末装置Ｔのディスプレイを構成する電子ペーパ特有の残像が上記画像に含まれているか否かを判定する。その後サーバ装置ＳＶ１は、上記残像が含まれている画像を撮影した撮影結果に相当する撮影データＳcdを送信してきた端末装置Ｔに対して、当該端末装置Ｔの上記電子ペーパをリフレッシュする旨のリフレッシュ信号と、上記撮影データＳcdに対応する上記表示データと、を、ネットワークＮＷを介して送信する。この場合、当該表示データは再送信となる。
【００３３】
これにより、上記リフレッシュ信号及び上記表示データが送信された端末装置Ｔは、当該リフレッシュ信号に基づいてそのディスプレイを構成する電子ペーパをリフレッシュし、その後、上記再送信された表示データに相当する画像を表示する。
【００３４】
次に、上記サーバ装置ＳＶ１及び各端末装置Ｔの細部構成について、図２を用いて説明する。
【００３５】
図２（ａ）に示すように、第１実施形態に係るサーバ装置ＳＶ１は、ＨＤＤ（Hard Disc Drive）又はＳＳＤ（Solid State Drive）等からなる記録部１と、ＣＰＵ、ＲＯＭ（Read Only Memory）及びＲＡＭ（Random Access Memory）等からなる処理部２と、キーボード又はマウス等からなる操作部３と、液晶ディスプレイ等からなる表示部４と、インターフェース５と、により構成されている。このとき、インターフェース５が本発明に係る「サーバ装置送信手段」の一例に相当し、処理部２が本発明に係る「判定手段」の一例に相当する。
【００３６】
この構成において記録部１は、各端末装置Ｔに対して送信すべき上記表示データを、当該端末装置Ｔ別に含むデータベース１Ｄを不揮発性に且つ処理部２から読み出し可能に記録する。一方インターフェース５は、処理部２の制御の下、サーバ装置ＳＶ１と各端末装置Ｔとの間のネットワークＮＷを介したデータの授受を制御する。他方、サーバ装置ＳＶ１の動作等を指示する操作が操作部３において実行されると、操作部３は当該操作に対応する操作信号を生成して処理部２に出力する。これらにより処理部２は、上記表示データを対応する端末装置Ｔに送信する。また処理部２は、いずれかの端末装置Ｔから撮影データＳcdが送信されてくると、それに相当する撮影結果と、それに対応する表示データと、を比較し、その端末装置Ｔにおいて表示されている上記画像に上記残像が含まれているか否かを判定する。そして処理部２は、当該残像が画像に含まれていた場合、その画像を撮影した撮影結果に相当する撮影データＳcdを送信してきた端末装置Ｔに対して、上記リフレッシュ信号の送信及び表示データの再送信を行う。
【００３７】
次に図２（ｂ）に示すように、第１実施形態に係る端末装置Ｔは、上記電子ペーパを表示媒体とするディスプレイ１０と、ＣＰＵ、ＲＯＭ及びＲＡＭ等からなる処理部１１と、操作ボタン等からなる操作部１２と、インターフェース１３と、により構成されている。このとき、ディスプレイ１０が本発明に係る「表示手段」の一例に相当し、インターフェース１３が本発明に係る「状態情報取得手段」の一例及び「状態情報送信手段」の一例にそれぞれ相当し、処理部１１が本発明に係る「制御手段」の一例に相当する。
【００３８】
この構成においてインターフェース１３は、処理部１１の制御の下、端末装置Ｔとサーバ装置ＳＶ１との間のネットワークＮＷを介したデータの授受を制御する。他方、端末装置Ｔの動作等を指示する操作が操作部１２において実行されると、操作部１２は当該操作に対応する操作信号を生成して処理部１１に出力する。これらにより処理部１１は、上記表示データがサーバ装置ＳＶ１から送信されてくると、これを受信してディスプレイ１０に表示する。また処理部１１は、例えば新たな表示データを受信してこれに対応する画像をディスプレイ１０に表示したタイミングにおいて上記撮影指示Ｓcを生成し、対応するカメラＣに送信する。そして、当該撮影指示Ｓcに対応した上記撮影データＳcdが当該カメラＣから送信されてくると、これをサーバ装置ＳＶ１に送信する。そして、サーバ装置ＳＶ１から上記リフレッシュ信号が送信されてくると共に表示データが再送信されてくると、処理部１１は上記リフレッシュ信号を用いて先ずディスプレイ１０の電子ペーパをリフレッシュし、その後、再送信されてきた表示データに相当する画像を改めてディスプレイ１０に表示させる。
【００３９】
次に、第１実施形態に係る表示処理について、図３及び図４を用いて纏めて説明する。なお、各端末装置Ｔのそれぞれにおいては、相互に同一の表示処理が行われる。
【００４０】
先ずサーバ装置ＳＶ１においては、例えばその電源がオンとされたタイミングから、処理部２を中心として第１実施形態に係る表示処理を開始する。即ち図３に示すように、サーバ装置ＳＶ１の処理部２は、第１実施形態に係る表示処理の開始後、端末装置Ｔごとの表示データを送信すべき予め設定されたそれぞれのタイミングにおいて、その端末装置Ｔに送信すべき表示データを、当該端末装置Ｔに対してネットワークＮＷを介して送信する（ステップＳ１）。その後処理部２は、当該表示データを送信した端末装置Ｔから、当該表示データに相当する画像の撮影結果に相当する撮影データＳcdを受信したか否かの監視を行う（ステップＳ２）。そして、いずれの端末装置Ｔからも撮影データＳcdの受信がない場合（ステップＳ２：ＮＯ）、処理部２は後述するステップＳ６に移行する。
【００４１】
一方各端末装置Ｔのそれぞれにおいては、例えばその電源がオンとされタイミングから、その処理部１１を中心として第１実施形態に係る表示処理を開始する。即ち図３に示すように、各端末装置Ｔの処理部１１は、第１実施形態に係る表示処理の開始後、サーバ装置ＳＶ１からの上記表示データの受信をそれぞれ監視する（ステップＳ１０）。ステップＳ１０において表示データを受信しない場合（ステップＳ１０：ＮＯ）、処理部１１は後述するステップＳ１７に移行する。一方ステップＳ１０において表示データを受信した場合（ステップＳ１０：ＹＥＳ）、処理部１１は、受信した表示データをそのディスプレイ１０を用いて表示する（ステップＳ１１）。その後処理部１１は、当該表示データに相当するディスプレイ１０上の画像を撮影すべき旨の上記撮影指示Ｓcを、その端末装置Ｔに対応しているカメラＣに送信する（ステップＳ１２）。その後処理部１１は、当該撮影指示Ｓcを送信したカメラＣから、当該撮影指示Ｓcに対応した撮影データＳcdを受信したか否かの監視を行う（ステップＳ１３）。そして、対応するカメラＣからの撮影データＳcdの受信がない場合（ステップＳ１３：ＮＯ）、処理部１１は当該撮影データＳcdの受信の監視を継続する。
【００４２】
他方、各端末装置Ｔにそれぞれ対応する各カメラＣのそれぞれにおいては、例えばその電源がオンとされタイミングから第１実施形態に係る表示処理を開始する。即ち図３に示すように各カメラＣでは、第１実施形態に係る表示処理の開始後、それが対応する端末装置Ｔからの上記撮影指示Ｓcの受信を監視する（ステップＳ２０）。ステップＳ２０において撮影指示Ｓcを受信しない場合（ステップＳ２０：ＮＯ）、各カメラＣは後述するステップＳ２３に移行する。一方ステップＳ２０において撮影指示Ｓcを受信した場合（ステップＳ２０：ＹＥＳ）、各カメラＣは、受信した撮影指示Ｓcに基づいて、そのカメラＣが対応している端末装置Ｔのディスプレイ１０上に表示されている画像（即ち表示データに相当する画像）を撮影する（ステップＳ２１）。次に各カメラＣは、当該撮影結果に相当する上記撮影データＳcdを生成し、対応する端末装置Ｔにそれぞれ送信する（ステップＳ２２）。その後各カメラＣは、例えばその電源がオフとされる等により各カメラＣとしての第１実施形態に係る表示処理を終了するか否かをそれぞれ判定する（ステップＳ２３）。ステップＳ２３の判定において当該表示処理を終了する場合（ステップＳ２３：ＹＥＳ）、各カメラＣはそのまま当該表示処理をそれぞれ終了する。一方ステップＳ２３の判定において当該表示処理を継続する場合（ステップＳ２３：ＮＯ）、各カメラＣは上記ステップＳ２０に戻って上述してきた表示処理をそれぞれ継続する。
【００４３】
次に、上記ステップＳ１３の監視をしている各端末装置Ｔの処理部１１は、当該監視において、対応するカメラＣから撮影データＳcdを受信した場合（ステップＳ１３：ＹＥＳ）、その受信した撮影データＳcdを、ネットワークＮＷを介してサーバ装置ＳＶ１に送信する（ステップＳ１４）。その後各処理部１１は、サーバ装置ＳＶ１からの上記リフレッシュ信号の送信及び上記表示データの再送信があるか否かをそれぞれ監視する（ステップＳ１５）。ステップＳ１５の監視において上記リフレッシュ信号の送信等がない場合（ステップＳ１５：ＮＯ）、各処理部１１は、例えばその電源がオフとされる等により端末装置Ｔとしての第１実施形態に係る表示処理を終了するか否かをそれぞれ判定する（ステップＳ１７）。ステップＳ１７の判定において当該表示処理を終了する場合（ステップＳ１７：ＹＥＳ）、各処理部１１はそのまま当該表示処理をそれぞれ終了する。一方ステップＳ１７の判定において当該表示処理を継続する場合（ステップＳ１７：ＮＯ）、各処理部１１は上記ステップＳ１０に戻って上述してきた表示処理をそれぞれ継続する。
【００４４】
一方、上記ステップＳ２の監視をしているサーバ装置ＳＶ１の処理部２は、いずれかの端末装置Ｔから撮影データＳcdを受信した場合（ステップＳ２：ＹＥＳ）、当該撮影データＳcdに相当する撮影結果と、対応するカメラＣにより撮影された画像に相当する表示データと、を比較する（ステップＳ３）。次に処理部２は、ステップＳ３の比較結果に基づき、当該撮影データＳcdを送信してきた端末装置Ｔのディスプレイ１０の表示品質が良好であるか否かの判定として、当該撮影データＳcdに対応する表示データに相当する画像に上記残像が含まれているか否かを判定する（ステップＳ４）。
【００４５】
ここで、当該残像の具体例について図４（ａ）を用いて説明する。即ち、例えば図４（ａ）左に例示する画像Ｇ１がディスプレイ１０に表示された後、その画像Ｇ１を、他の表示データに基づく他の画像Ｇ２（図４（ａ）右参照）に切り換えた場合を考える。このとき、上記画像Ｇ１は文字列「ＡＢＣ」を含む画像であり、上記画像Ｇ２は画像Ｇ１の文字列「ＡＢＣ」の位置とは異なる位置に他の文字列「ＸＹＺ」を含む画像である。そして、第１実施形態に係る電子ペーパに上記残像が発生する場合、図４（ａ）右に例示するように、画像Ｇ１において文字列「ＡＢＣ」が表示されていた位置に相当する画像Ｇ２の位置に、切り換え前の文字列「ＡＢＣ」が残像ＺＧとして薄く表示される（表示が残る）。そこで上記ステップＳ４の判定において処理部２は、図４に例示するような残像ＺＧが含まれているか否かを判定する。
【００４６】
上記ステップＳ４の判定において、上記残像ＺＧが含まれていない場合、即ち、撮影データＳcdを送信してきた端末装置Ｔのディスプレイ１０の表示品質が良好であると判定される場合（ステップＳ４：ＹＥＳ）、次に処理部２は、例えばその電源がオフとされる等によりサーバ装置ＳＶとしての第１実施形態に係る表示処理を終了するか否かを判定する（ステップＳ６）。ステップＳ６の判定において当該表示処理を終了する場合（ステップＳ６：ＹＥＳ）、処理部２はそのまま当該表示処理を終了する。一方ステップＳ６の判定において当該表示処理を継続する場合（ステップＳ６：ＮＯ）、処理部２は上記ステップＳ１に戻って上述してきたサーバ装置ＳＶ１としての表示処理を継続する。他方上記ステップＳ４の判定において、上記残像ＺＧが含まれていた場合、即ち、撮影データＳcdを送信してきた端末装置Ｔのディスプレイ１０の表示品質が良好でないと判定される場合（ステップＳ４：ＮＯ）、処理部２は、上記残像ＺＧが含まれている画像を撮影した撮影結果に相当する撮影データＳcdを送信してきた端末装置Ｔに対して、ネットワークＮＷを介した、上記リフレッシュ信号の送信及び上記表示データの再送信を行う（ステップＳ５）。その後処理部２は、上記ステップＳ６に移行する。
【００４７】
次に、上記ステップＳ１５の監視において上記リフレッシュ信号の送信及び上記表示データの再送信があった場合（ステップＳ１５：ＹＥＳ）、各端末装置Ｔの処理部１１はそれぞれ、当該リフレッシュ信号に基づいてそのディスプレイ１０を構成する電子ペーパをリフレッシュする（ステップＳ１６）。
【００４８】
ここで、当該電子ペーパのリフレッシュについて図４（ｂ）を用いて具体的に説明する。電子ペーパを表示媒体とした表示に上記残像ＺＧが含まれるようになっていることが判明した場合（図３ステップＳ４：ＮＯ参照）、各端末装置Ｔの処理部１１はそれぞれ、上記リフレッシュ信号に基づいた電子ペーパのリフレッシュを行う。このリフレッシュにおいて各端末装置Ｔの処理部１１は、例えば図４（ａ）左に示す画像Ｇ１をディスプレイ１０に表示していたとすると、この画像Ｇ１に代えて、図４（ｂ）に例示するように黒一色の黒画像Ｂと白一色の白画像Ｗとを、予め設定された時間内に交互に表示させる（図４（ｂ）中破線で囲まれた部分参照）。そして各処理部１１は、この黒白の交互表示を上記既定時間内に一定回数行うことにより、ディスプレイ１０を構成する電子ペーパのリフレッシュを行う（ステップＳ１６）。その後に例えば図４（ａ）右下に示す画像Ｇ２を表示した場合には、上記リフレッシュの効果として、元の画像Ｇ１内の文字列「ＡＢＣ」に相当する残像ＺＧは消失している。
【００４９】
その後各処理部１１は、上記再送信された表示データを用いて改めて当該表示データをそのディスプレイ１０を用いて表示すべく、上記ステップＳ１１にそれぞれ移行する。その後各処理部１１は、上述してきた各端末装置Ｔとしての第１実施形態に係る表示処理をそれぞれ繰り返す。
【００５０】
以上説明したように、第１実施形態に係る表示処理によれば、各端末装置Ｔと接続されたサーバ装置ＳＶ１から送信されてきた表示データをその端末装置Ｔにおいて表示する場合に、その端末装置Ｔにおける表示状態を示す撮影データＳcdを端末装置Ｔにおいて取得し、その撮影データＳcdに対応させてディスプレイ１０を制御する（リフレッシュする）。よって、その表示状態に合わせて、端末装置Ｔにおいて表示データを見易く表示することができる。
【００５１】
また、表示媒体たる電子ペーパの表示状態（即ち残像の有無）を示す撮影データＳcdを端末装置Ｔにおいて取得してサーバ装置ＳＶ１に送信し、リフレッシュ信号をサーバ装置ＳＶから受信した場合に電子ペーパをリフレッシュする。一方サーバ装置ＳＶ１では、端末装置Ｔから撮影データＳcdを受信した場合に、電子ペーパがリフレッシュを必要とする表示状態であるか否かを判定し、当該リフレッシュを必要とすると判定されたとき、撮影データＳcdを送信してきた端末装置Ｔに対してリフレッシュ信号を送信する。よって、電子ペーパの表示状態を常に良好に維持することができる。
【００５２】
更に、撮影データＳcdがディスプレイ１０の表示面を撮影して得られた撮影データであるので、実際の表示状態に基づいてリフレッシュの必要性を判定することができる。
【００５３】
（II）第２実施形態
次に、本発明に係る他の実施形態である第２実施形態について、図５乃至図８を用いて説明する。なお、図５は第２実施形態に係る表示システムの概要構成を示すブロック図であり、図６は第２実施形態に係るサーバ装置に記録されているデータベースの内容を例示する図であり、図７は第２実施形態に係る表示処理を示すフローチャートであり、図８は当該表示処理による表示色の制御を例示する図である。なお図５において、第１実施形態に係る表示システムＳ１と同様の構成部材については、同様の部材番号を付して細部の説明は省略する。
【００５４】
上述した第１実施形態に係る表示処理では、各端末装置Ｔから送信されてくる撮影データＳcdに基づいて当該端末装置Ｔのディスプレイ１０における残像の有無を判定し、残像がある場合に当該端末装置Ｔに対して上記リフレッシュ信号等を送信し、その電子ペーパのリフレッシュを行わせることとした。これに対して以下に説明する第２実施形態に係る表示処理では、各端末装置が置かれている環境（周囲環境）の照度を計測し、その計測結果に基づいて各端末装置における表示色パターンを制御する。
【００５５】
即ち図５に示すように、第２実施形態に係る表示システムＳ２は、サーバ装置ＳＶ２と、端末装置ＴＴ１、端末装置ＴＴ２、…、端末装置ＴＴｎと、端末装置ＴＴ１、端末装置ＴＴ２、…、端末装置ＴＴｎにそれぞれ対応した照度センサＬＳ１、照度センサＬＳ２、…、照度センサＬＳｎと、第１実施形態と同様のネットワークＮＷと、により構成されている。なお以下の説明において、端末装置ＴＴ１、端末装置ＴＴ２、…、端末装置ＴＴｎに共通の事項を説明する場合、これらを纏めて「端末装置ＴＴ」と称する。また同様に、照度センサＬＳ１、照度センサＬＳ２、…、照度センサＬＳｎに共通の事項を説明する場合、これらを纏めて「照度センサＬＳ」と称する。
【００５６】
上記の構成において各端末装置ＴＴは、第１実施形態に係る各端末装置Ｔと同様に例えば壁掛形として固定設置されており、サーバ装置ＳＶ２は、各端末装置ＴＴにおいて表示されるべき表示データを記録している。またサーバ装置ＳＶ２は第１実施形態に係るサーバ装置ＳＶ１と同様に、当該表示データを、それが表示されるべき端末装置ＴＴに対して、ネットワークＮＷを介して送信し、各端末装置ＴＴは当該表示データをそれぞれ受信し、当該表示データに相当する画像を、各端末装置ＴＴが備えるディスプレイ上にそれぞれ表示する。
【００５７】
一方各端末装置ＴＴは、それぞれに送信された表示データに相当する上記画像を表示中において、各端末装置ＴＴそれぞれが置かれている環境の照度を計測すべき旨の計測指示Ｓccを、その端末装置ＴＴに対応する照度センサＬＳに送信する。ここで、端末装置ＴＴが対応する照度センサＬＳとは、その端末装置ＴＴが置かれている環境を照度計測の範囲に含む照度センサＬＳをいう。これにより各照度センサＬＳは、それぞれが対応している端末装置ＴＴから上記計測指示Ｓccが送信されてくると、それに基づいて、それぞれが対応している端末装置ＴＴの置かれている環境の照度を計測し、その計測結果に相当する照度データＳclを生成し、対応する端末装置ＴＴに送信する。そして各端末装置ＴＴは、対応する照度センサＬＳから上記照度データＳclが送信されてくると、ネットワークＮＷを介して当該照度データＳclをサーバ装置ＳＶ２にそれぞれ送信する。
【００５８】
次にサーバ装置ＳＶ２は、いずれかの端末装置ＴＴから照度データＳclが送信されてくると、当該照度データＳclにより示される照度に対して、その照度を有する環境にある端末装置ＴＴにおける表示データの表示色パターンが適正であるか否かを判定する。このとき当該表示色パターンとは、端末装置ＴＴのディスプレイ１０上における表示データに相当する画像の表示時の階調データのパターン又は色データのパターン等をいう。その後サーバ装置ＳＶ２は、当該表示色パターンが適正でない端末装置ＴＴに対して、上記表示色パターンを適正化した（新たな）表示データを、ネットワークＮＷを介して送信する。
【００５９】
これにより、上記新たな表示データが送信された端末装置ＴＴは、当該新たな表示データに相当する画像を表示する。
【００６０】
次に、上記サーバ装置ＳＶ２の構成について、図６を用いて説明する。なお、第２実施形態に係る各端末装置ＴＴそれぞれのハードウェア的な構成は、基本的には第１実施形態に係る各端末装置Ｔそれぞれのハードウェア的な構成と同一であるので、細部の説明は省略する。これに対して第２実施形態に係るサーバ装置ＳＶ２のハードウェア的な構成は、第１実施形態に係るサーバ装置ＳＶ１のハードウェア的な構成に比して、第１実施形態に係るデータベース１Ｄに加えて第２実施形態に係るデータベース１Ｄ２が記録部１に記録されている点が相違している。なお、第２実施形態に係るサーバ装置ＳＶ２のハードウェア的な構成におけるその他の点は、基本的に第１実施形態に係るサーバ装置ＳＶ１のハードウェア的な構成と同一である。
【００６１】
具体的に、記録部１に記録されている第２実施形態に係るデータベース１Ｄ２には、図６に例示するようにデータベースＤＢ１及びデータベースＤＢ２が不揮発性に記録されている。
【００６２】
このときデータベースＤＢ１には、各端末装置ＴＴに送信する表示データに相当する画像を識別するための画像ＩＤごとに、ディスプレイ１０におけるその時点での表示色パターンを示すパターン値が記録されている。具体的に図６（ａ）に例示する場合は、「１」なる画像ＩＤの画像及び「２」なる画像ＩＤの画像はその時点では「パターンＡ」の表示色パターンとなっており、「３」なる画像ＩＤの画像はその時点では「パターンＢ」の表示色パターンとなっている。
【００６３】
一方データベースＤＢ２には、上記照度データＳclにより示される照度値ごとに、その照度の環境にあるディスプレイ１０において画像を表示する際に適正であると予め設定されている表示色パターンを示すパラメータ値が記録されている。具体的に図６（ｂ）に例示するデータベースＤＢ２では、照度データＳclにより示される照度が「１０００」である場合には表示色パターンを「パターンＡ」とするのが適正であり、照度が「７５０」である場合には表示色パターンを「パターンＢ」とするのが適正であり、照度が「５００」である場合には表示色パターンを「パターンＣ」とするのが適正であることが、それぞれ記録されている。そして第２実施形態に係るサーバ装置ＳＶ２の処理部２は、いずれかの端末装置ＴＴからの照度データＳclにより示される照度に対して、その照度を有する環境にある端末装置ＴＴに送信されている表示データの表示色パターンが適正であるか否かを、データベースＤＢ２を参照して判定する。そしてサーバ装置ＳＶ２は、当該表示色パターンが適正でない端末装置ＴＴに対しては、上記表示色パターンを適正化した新たな表示データを送信する。
【００６４】
次に、第２実施形態に係る表示処理について、図７及び図８を用いて纏めて説明する。なお、各端末装置ＴＴのそれぞれにおいては、相互に同一の表示処理が行われる。また図７において、第１実施形態に係る表示システムＳ１と同様の処理については、同様のステップ番号を付して細部の説明は省略する。
【００６５】
先ずサーバ装置ＳＶ２においては、例えばその電源がオンとされタイミングから、処理部２を中心として第２実施形態に係る表示処理を開始する。即ち図７に示すように、サーバ装置ＳＶの処理部２は、第２実施形態に係る表示処理の開始後、第１実施形態に係る表示処理（図３参照。以下同様。）のステップＳ１と同様の処理を行う。その後処理部２は、表示データを送信した端末装置ＴＴから、その端末装置ＴＴが置かれている環境の照度を示す照度データＳclを受信したか否かの監視を行う（ステップＳ３０）。そして、いずれの端末装置ＴＴからも照度データＳcdの受信がない場合（ステップＳ３０：ＮＯ）、処理部２は、第１実施形態に係る表示処理のステップＳ６と同様の処理に移行する。
【００６６】
一方各端末装置ＴＴのそれぞれにおいては、例えばその電源がオンとされタイミングから、その処理部１１を中心として第２実施形態に係る表示処理を開始する。即ち図７に示すように、各端末装置ＴＴの処理部１１は、第２実施形態に係る表示処理の開始後、第１実施形態に係る表示処理のステップＳ１０及びステップＳ１１と同様の処理をそれぞれ行う。その後各処理部１１は、その端末装置ＴＴが置かれている環境の照度を計測すべき旨の計測指示Ｓccを、その端末装置ＴＴに対応する照度センサＬＳに送信する（ステップＳ３５）。その後各処理部１１は、当該計測指示Ｓccを送信した照度センサＬＳから、当該計測指示Ｓccに対応した照度データＳclを受信したか否かの監視をそれぞれ行う（ステップＳ３６）。そして、対応する照度センサＬＳからの照度データＳclの受信がない場合（ステップＳ３６：ＮＯ）、各処理部１１は、当該照度データＳclの受信の監視を継続する。
【００６７】
他方、各端末装置ＴＴにそれぞれ対応する各照度センサＬＳのそれぞれにおいては、例えばその電源がオンとされタイミングから第２実施形態に係る表示処理を開始する。即ち図７に示すように各照度センサＬＳでは、第２実施形態に係る表示処理の開始後、それが対応する端末装置ＴＴからの上記計測指示Ｓccの受信を監視する（ステップＳ４０）。ステップＳ４０において計測指示Ｓccを受信しない場合（ステップＳ４０：ＮＯ）、各照度センサＬＳは、第１実施形態に係る表示処理のステップＳ２３と同様の処理に移行する。一方ステップＳ４０において計測指示Ｓccを受信した場合（ステップＳ４０：ＹＥＳ）、各照度センサＬＳは、受信した計測指示Ｓccに基づいて、その照度センサＬＳが対応している端末装置ＴＴが置かれている環境の照度をそれぞれ計測する（ステップＳ４１）。その後各照度センサＬＳは、当該計測結果に相当する上記照度データＳclを生成し、対応する端末装置ＴＴにそれぞれ送信する（ステップＳ４２）。その後各照度センサＬＳは、第１実施形態に係る表示処理のステップＳ２３と同様の処理にそれぞれ移行する。
【００６８】
次に、上記ステップＳ３６の監視をしている各端末装置ＴＴの処理部１１は、当該監視において、対応する照度センサＬＳから照度データＳclを受信した場合（ステップＳ３６：ＹＥＳ）、その受信した撮影データＳcdを、ネットワークＮＷを介してサーバ装置ＳＶに送信する（ステップＳ３７）。その後各処理部１１は、第１実施形態に係る表示処理のステップＳ１７と同様の処理にそれぞれ移行する。
【００６９】
一方、上記ステップＳ３０の監視をしているサーバ装置ＳＶ２の処理部２は、いずれかの端末装置ＴＴから照度データＳclを受信した場合（ステップＳ３０：ＹＥＳ）、照度データＳclを送信してきた端末装置ＴＴに送信した（上記ステップＳ１及びステップＳ１０参照）表示データに相当する画像における表示色パターンのパラメータ値を、データベースＤＢ１を参照して取得する（ステップＳ３１）。次に処理部２は、上記照度データＳclにより示される照度に適正な表示色パターンを、データベースＤＢ２を参照して確認する（ステップＳ３２）。その後処理部２は、ステップＳ３２の確認結果と、ステップＳ３１により取得したパラメータ値と、を比較し、ステップＳ３１により取得したパラメータ値に相当する表示色パターンが、上記照度データＳclにより示される照度に適正な表示色パターンであるか否かを判定する（ステップＳ３３）。ステップＳ３３の判定において、ステップＳ３１により取得したパラメータ値に相当する表示色パターンが適正な表示色パターンであった場合（ステップＳ３３：ＹＥＳ）、処理部２は次に、第１実施形態に係る表示処理のステップＳ６と同様の処理に移行する。
【００７０】
一方ステップＳ３３の判定において、ステップＳ３１により取得したパラメータ値に相当する表示色パターンが適正な表示色パターンではなかった場合（ステップＳ３３：ＮＯ）、処理部２は次に、データベースＤＢ２を参照して、上記ステップＳ１により送信した表示データの表示色パターンのみを適正化し（即ち、表示データに相当する画像の内容自体は変更せずに）、新たな表示データを再生成する（ステップＳ３４）。ここで、ステップＳ３４における表示データの再生成では、適正化前の表示色パターンが例えば図８（ａ）に示すものであった場合において、例えば照度データＳclにより示される照度の環境ではよりコントラストが強い表示色パターンが適正であるとき、その表示色パターンは例えば図８（ｂ）に示す表示色パターン（即ちコントラストが強い表示色パターン）に変更（適正化）される。
【００７１】
その後処理部１１は、上記ステップＳ１に戻って、上記照度データＳclを送信してきた端末装置ＴＴに対して当該再生成された（上記ステップＳ３４参照）表示データを送信し、更に上述した第２実施形態に係る表示処理を継続する。
【００７２】
以上説明したように、第２実施形態に係る表示処理によれば、各端末装置ＴＴと接続されたサーバ装置ＳＶ２から送信されてきた表示データをその端末装置ＴＴにおいて表示する場合に、その端末装置ＴＴが置かれた環境における照度を示す照度データＳclを端末装置ＴＴにおいて取得し、その照度データＳclに対応させてディスプレイ１０における表示色パターンを制御する。よって、それが置かれている環境に合わせて、端末装置ＴＴにおいて表示データを見易く表示することができる。
【００７３】
また、端末装置ＴＴが置かれている環境における照度を示す照度データＳclを端末装置ＴＴにおいて取得し、その照度データＳclをサーバ装置ＳＶ２に送信し、新たな表示データをサーバ装置ＳＶ２から受信した場合にそれに基づいてディスプレイ１０における表示色を制御する。よって、ディスプレイ１０を構成する電子ペーパの表示色を、その周辺の照度に合わせて良好に維持することができる。
【００７４】
（III）変形形態
次に、本発明に係る各変形形態について説明する。
【００７５】
（Ａ）第１変形形態
上述した第１実施形態に係る表示処理では、各端末装置Ｔから送信されてくる撮影データＳcdに基づいてディスプレイ１０における残像の有無を判定し、残像がある場合にその端末装置Ｔに対してリフレッシュ信号等を送信し、その端末装置Ｔのディスプレイ１０を構成するに電子ペーパをリフレッシュさせることとした。
【００７６】
これに対して、本発明に係る第１変形形態として、各端末装置が置かれている環境（周囲環境）の音の状態を示す音データを例えば各端末装置に対応するマイクから取得し、その音データにより示される例えば音の大きさに応じて、その端末装置における表示内容を、サーバ装置からの表示制御データに基づいて制御するように構成してもよい。この場合に例えば、その端末装置が置かれている環境の音の大きさが予め設定されている音の大きさよりも大きい場合、その端末装置において、「静粛にして下さい。」といった静粛にすべき旨のメッセージを表示させるように構成するのが好適である。
【００７７】
このような第１変形形態によれば、各端末装置が置かれている環境の音の状態を示す音データを当該端末装置において取得し、それをサーバ装置に送信して各端末装置における表示内容を制御するので、端末装置における表示内容を、その周辺の音の状態に対応させて制御することができる。
【００７８】
また、各端末装置が置かれている環境の音の大きさを示す音データを端末装置において取得し、それをサーバ装置に送信して各端末装置において静粛にすべきメッセージを表示させる場合には、端末装置が置かれている環境の音が既定値以上に大きいときに、その端末装置の周囲を静粛にさせることができる。
【００７９】
（Ｂ）第２変形形態
また、本発明に係る第２変形形態として、各端末装置が置かれている環境の温度を示す温度データを例えば各端末装置に対応する温度センサから取得し、その温度データにより示される温度（例えば気温）に応じて、その端末装置における表示内容を、サーバ装置からの表示制御データに基づいて制御するように構成してもよい。この場合に例えば、その端末装置が置かれている環境の気温が予め設定されている温度よりも高い場合、その端末装置において、例えば清涼飲料水の広告を表示させたり、或いは涼しげな画像を表示させたりするように構成するのが好適である。
【００８０】
このような第２変形形態によれば、各端末装置が置かれている環境の温度を示す温度データを当該端末装置において取得し、それをサーバ装置に送信して各端末装置における表示内容を制御するので、端末装置における表示内容を、その周辺の温度に対応させて制御することができる。
【００８１】
また、各端末装置が置かれている環境の温度が既定値以上に高い場合に、例えば清涼飲料水の広告を表示させたり、或いは涼しげな画像を表示させたりする場合には、効果的な広告等を行うことができる。
【００８２】
（Ｃ）他の変形形態
更に、上述した各実施形態及び各変形形態においては、各端末装置から撮影データＳcd等をサーバ装置に送信し、サーバ装置からの表示制御データに基づいて各端末装置における表示状態等を制御することとした。しかしながらこれ以外に、各端末装置において完結させる態様で、撮影データＳcd等に基づいて各端末装置それぞれにおいてその表示状態等を制御するように構成することもできる。
【００８３】
更にまた、図３又は図７にそれぞれ示されるフローチャートに相当するプログラムを光ディスク等の記録媒体に記録しておき、又はインターネット等のネットワークを介して受信して記録しておき、それらを汎用のマイクロコンピュータ等により読み出して実行することにより、当該マイクロコンピュータ等を、第１実施形態に係る処理部２又は第２実施形態に係る処理部１１として機能させることもできる。
【産業上の利用可能性】
【００８４】
以上それぞれ説明したように、本発明は表示システムの分野に利用することが可能であり、特にデジタルサイネージ等における表示状態等の最適化を行う表示システムの分野に適用すれば、特に顕著な効果が得られる。
【符号の説明】
【００８５】
１    記録部
１Ｄ、１Ｄ２、ＤＢ１、ＤＢ２    データベース
２、１１    処理部
３、１２    操作部
４    表示部
５、１３    インターフェース
１０    ディスプレイ
Ｃ、Ｃ、Ｃｎ    カメラ
Ｓ１、Ｓ２    表示システム
Ｔ１、Ｔ２、Ｔｎ、ＴＴ１、ＴＴ２、ＴＴｎ    端末装置
ＳＶ１、ＳＶ２    サーバ装置
Ｇ１、Ｇ２    画像
ＺＧ    残像
ＬＳ１、ＬＳ２、ＬＳｎ    照度センサ
ＮＷ    ネットワーク
Ｓc    撮影指示
Ｓcd    撮影データ
Ｓcc    計測指示
Ｓcl    照度データ
【図１】
2017181592.tif 000003
【図２】
2017181592.tif 000004
【図３】
2017181592.tif 000005
【図４】
2017181592.tif 000006
【図５】
2017181592.tif 000007
【図６】
2017181592.tif 000008
【図７】
2017181592.tif 000009
【図８】
2017181592.tif 000010